(57)【特許請求の範囲】
【請求項１】
機器本体と、
前記機器本体の表面に配備された画像表示パネルと、入力用タッチパネルとを具え、
前記機器本体には、
前記入力用タッチパネルを第１の方向にフリックすることにより、前記画像表示パネルに表示された画像を変更し、前記入力用タッチパネルを前記第１の方向とは異なる第２の方向にフリックすることにより、前記画像表示パネルに表示された画像の詳細情報を表示する制御手段、
が設けられている携帯型電子機器。
【請求項２】
前記画像表示パネルは、前記機器本体の表面に配備された第１画像表示パネルであり、
前記入力用タッチパネルは、前記機器本体の表面上に配備されて、前記第１画像表示パネルの画像表示面に重なる第２画像表示パネルに設けられる、
請求項１に記載の携帯型電子機器。
【発明の詳細な説明】
【技術分野】
【０００１】
本発明は、携帯電話機等、画像表示パネルを有する種々の携帯型電子機器に関する。
【背景技術】
【０００２】
従来、ストレートタイプの携帯電話機の他に、２つの筐体を互いにスライド可能に連結して構成されたスライド式の携帯電話機、２つの筐体を互いに折り畳み可能に連結して構成された折り畳み式の携帯電話機が普及している（例えば、特許文献１又は２参照）。スライド式及び折り畳め式の携帯電話機においては、２つの筐体の内、何れか一方の筐体の表面に液晶表示パネルが配備され、他方の筐体の表面に操作キーが配備されている。このため、一方の筐体の表面の広い範囲を液晶表示パネルの設置領域として使用することが出来、従って、スライド式及び折り畳め式の携帯電話機には、広い画像表示面を有する液晶表示パネルを配備することが可能であった。
【先行技術文献】
【特許文献】
【０００３】
【特許文献１】特開２００９−７１３６４号公報
【特許文献２】特開２００９−２７３２１号広報
【発明の概要】
【発明が解決しようとする課題】
【０００４】
しかしながら、従来のストレートタイプの携帯電話機においては、機器本体の同じ表面の異なる領域に、液晶表示パネルと操作キーとが配備されている。従って、液晶表示パネルの設置領域は、操作キーの設置領域の分だけ小さくならざるを得なかった。このため、従来のストレートタイプの携帯電話機には、広い画像表示面を有する液晶表示パネルを配備することが出来なかった。
【０００５】
又、従来の携帯電話機においては、１つの画像表示パネルが設けられている場合は勿論のこと、複数の画像表示パネルが設けられている場合であっても、ユーザには、各画像表示パネルに表示される画像が個々に認識されるに過ぎなかった。このため、従来の携帯電話機においては、ユーザには、平面的な画像しか認識させることが出来なかった。
【０００６】
近年、携帯電話機等、液晶表示パネルを有する携帯型電子機器の分野おいて、立体的な画像等、視覚的に特徴を有する画像を表示させることを可能にしたものが期待されている。
【０００７】
そこで本発明の目的は、機器本体に設けられている画像表示パネルの画像表示面が広く、且つ視覚的に特徴を有する画像を表示することが可能な携帯型電子機器を提供することである。
【課題を解決するための手段】
【０００８】
本発明に係る携帯型電子機器は、機器本体と、前記機器本体の表面に配備された第１画像表示パネルと、第２画像表示パネルと、連結機構とを具えている。前記第２画像表示パネルは、前記機器本体の表面上に配備されて、前記第１画像表示パネルの画像表示面に重なっており、該第２画像表示パネルの画像表示面には、その少なくとも一部の領域を覆って、光透過性を有する入力用タッチパネルが設けられている。又、前記第２画像表示パネルは、その背面側から入射された光を該第２画像表示パネルの画像表示面側へ透過させる構成を有している。連結機構は、前記第２画像表示パネルを前記機器本体に対して摺動自在に連結させて、該第２画像表示パネルを、前記第１画像表示パネルの画像表示面上の所定の経路に沿って往復移動させる。
【０００９】
上記携帯型電子機器においては、ユーザに対する汎用性が高まる。具体的には、所定の経路が機器本体の長手方向に規定されている場合、所定の経路の両端の内、一方の端に第２画像表示パネルを移動させることにより、ユーザは、右手で携帯型電子機器を把持して、該右手で第２画像表示パネル上の入力用タッチパネルを操作することが可能となる。又、所定の経路の両端の内、他方の端に第２画像表示パネルを移動させることにより、ユーザは、左手で携帯型電子機器を把持して、該左手で第２画像表示パネル上の入力用タッチパネルを操作することが可能となる。
【００１０】
更に、上記携帯型電子機器においては、ユーザに、第２画像表示パネルを通して第１画像表示パネルの画像表示面に表示される画像を認識させることが可能である。このため、機器本体の表面の内、第２画像表示パネルが重なる領域にも第１画像表示パネルを設置することが出来、従って機器本体の表面の広い範囲を、第１画像表示パネルの設置領域として使用することが出来る。よって、上記携帯型電子機器には、広い画像表示面を有する第１画像表示パネルを配備することが可能である。
【００１１】
更に又、上記携帯型電子機器においては、ユーザに、第２画像表示パネルの画像表示面に表示される画像を認識させると共に、第２画像表示パネルを通して第１画像表示パネルの画像表示面に表示される画像をも認識させることが可能である。従って、第１画像表示パネル及び第２画像表示パネルに表示される２つの画像を重ね合わせて、視覚的に特徴を有する１つの画像（例えば立体感のある画像）を形成し、該画像をユーザに認識させることが出来る。
【００１２】
又、上記携帯型電子機器においては、第２画像表示パネルが、第１画像表示パネルの画像表示面上の所定の経路に沿って摺動自在である。従って、該所定の経路上の様々な位置にて、視覚的に特徴を有する画像を形成することが可能である。
【００１３】
上記携帯型電子機器の具体的構成において、前記機器本体には、該機器本体に摺動自在に連結された摺動部と、該摺動部に固定されて前記第２画像表示パネルを支持する支持部とが設けられ、前記摺動部には係合部が突設される一方、前記機器本体には、該係合部が摺動自在に係合する係合受け部が設けられ、前記係合部と係合受け部により前記連結機構が構成されている。
【００１４】
より具体的な構成において、前記支持部の内、少なくとも前記第１画像表示パネルの画像表示面と重なる部分が光透過性を有している。
【発明の効果】
【００１５】
本発明に係る携帯型電子機器は、機器本体に設けられている画像表示パネルの画像表示面が広く、且つ視覚的に特徴を有する画像を表示することが可能である。
【図面の簡単な説明】
【００１６】
【図１】図１は、本発明の一実施形態に係る携帯電話機を示す斜視図である。
【図２】図２は、該携帯電話機の一部分解斜視図である。
【図３】図３は、図１に示されるＡ−Ａ線に沿う断面図である。
【図４】図４は、回路基板と可動表示部の第２液晶表示パネルとを接続しているフレキシブルリードの配線状態を示すと共に、可動表示部の組み立て方法の第５工程を示した斜視図である。
【図５】図５は、可動表示部の組み立て方法の第１工程を示す斜視図である。
【図６】図６は、該組み立て方法の第２工程を示す斜視図である。
【図７】図７は、該組み立て方法の第３工程を示す斜視図である。
【図８】図８は、該組み立て方法の第４工程を示す斜視図である。
【図９】図９は、該組み立て方法の第４工程を、背面側キャビネット半体の内側から見て示した斜視図である。
【図１０】図１０は、該組み立て方法の第６工程を示す斜視図である。
【図１１】図１１は、該組み立て方法の第７工程を示す斜視図である。
【図１２】図１２は、該組み立て方法の第８工程を示す斜視図である。
【図１３】図１３は、該組み立て方法の第９工程を示す斜視図である。
【図１４】図１４は、上記携帯電話機の画像表示動作に関する構成を示すブロック図である。
【図１５】図１５は、電話番号入力用の画像の表示形態を示す図である。
【図１６】図１６は、通話時の画像の表示形態を示す図である。
【図１７】図１７は、着信時の画像の表示形態の一例を示す図である。
【図１８】図１８（ａ）は、着信時の画像の表示形態の他の例を示す図であり、図１８（ｂ）は、着信時に実行可能な操作の説明に用いられる図である。
【図１９】図１９は、省電力モード時の画像の表示形態を示す図である。
【図２０】図２０は、電子メール受信時の画像の表示形態を示す図である。
【図２１】図２１は、受信した電子メールの内容の表示形態の一例を示す図である。
【図２２】図２２は、受信した電子メールの内容の表示形態の他の例を示す図である。
【図２３】図２３（ａ）は、受信した電子メールの内容を簡易表示した形態を示す図であり、図２３（ｂ）は、簡易表示時に実行可能な操作の説明に用いられる図である。
【図２４】図２４は、電子メール返信時の画像を表示させるための操作の説明に用いられる図である。
【図２５】図２５は、電子メール返信時の画像の表示形態を示す図である。
【図２６】図２６は、ショートメッセージサービス（ＳＭＳ）にてメッセージを受信したときの画像の表示形態を示す図である。
【図２７】図２７は、カメラ撮影時の画像の表示形態を示す図である。
【図２８】図２８は、カメラ撮影時のズーム量を調整するための操作の説明に用いられる図である。
【図２９】図２９は、動画と静止画とを同時に撮影するときの画像の表示形態を示す図である。
【図３０】図３０は、データ閲覧時の画像の表示形態を示す図である。
【図３１】図３１は、データ閲覧時に実行可能な操作の説明に用いられる図である。
【図３２】図３２は、データ閲覧時に実行可能な他の操作の説明に用いられる図である。
【図３３】図３３は、データ閲覧時の画像の表示形態の他の例を示す図である。
【図３４】図３４は、別のデータフォルダを選択したときの画像の表示形態を示す図である。
【図３５】図３５（ａ）及び図３５（ｂ）は、ウェブ閲覧時の画像（ウェブ画像）の表示形態の一例を示す図である。
【図３６】図３６は、ウェブ画像の表示形態の他の例を示す図である。
【図３７】図３７は、ウェブ画像上の選択キーを選択したときの画像の表示形態を示す図である。
【図３８】図３８（ａ）及び図３８（ｂ）は、ウェブ閲覧時に実行可能な操作の説明に用いられる図である。
【図３９】図３９は、マップ閲覧時の画像（マップ画像）の表示形態の一例を示す図である。
【図４０】図４０は、マップ閲覧時に実行可能な操作の説明に用いられる図である。
【図４１】図４１は、マップ閲覧時の画像（マップ画像）の表示形態の他の例を示す図である。
【図４２】図４２は、ホーム画面の画像の表示形態の一例を示す図である。
【図４３】図４３（ａ）及び図４３（ｂ）は、ホーム画面で実行可能な操作の説明に用いられる図である。
【図４４】図４４は、ホーム画面の画像の表示形態の他の例を示す図である。
【図４５】図４５（ａ）及び図４５（ｂ）は、図４４に示されるホーム画面で実行可能な操作の説明に用いられる図である。
【図４６】図４６は、図４４に示されるホーム画面で実行可能な他の操作の説明に用いられる図である。
【図４７】図４７は、図４５（ｂ）に示されるホーム画面で実行可能な操作の説明に用いられる図である。
【図４８】図４８は、図４７に示されるホーム画面で実行可能な操作の説明に用いられる図である。
【図４９】図４９は、上記携帯電話機の第１変形例を示すブロック図である。
【図５０】図５０は、上記携帯電話機の第２変形例を示すブロック図である。
【発明を実施するための形態】
【００１７】
以下、本発明を携帯電話機に実施した形態につき、図面に沿って具体的に説明する。
図１は、本発明の一実施形態に係る携帯電話機を示す斜視図である。図１に示す様に、本実施形態の携帯電話機は、厚さの小さい直方体形状を有する機器本体(１)を具え、該機器本体(１)のキャビネット(101)は、機器本体(１)の表面を形成する表面側キャビネット半体(102)と、機器本体(１)の背面を形成する背面側キャビネット半体(103)とを互いに接合して構成されている。
【００１８】
機器本体(１)には、第１液晶表示パネル(10)が、その画像表示面(11)を機器本体(１)の表面側へ向けて配備されている。又、機器本体(１)には、該機器本体(１)に対し摺動自在に連結された可動表示部(２)と、該機器本体(１)に対し固定された固定表示部(３)と、可動表示部(２)を機器本体(１)に対して摺動自在に連結する連結機構(４)（図１には図示されず）とが設けられている。尚、図示していないが、機器本体(１)の背面には、カメラが設置されている。
【００１９】
第１液晶表示パネル(10)の画像表示面(11)には、その少なくとも一部の領域を覆って、光透過性を有する入力用タッチパネル(12)が設けられている。尚、本実施形態においては、第１液晶表示パネル(10)の画像表示面(11)の内、固定表示部(３)が重なった領域には、入力用タッチパネル(12)は設けられていなくてもよい。
【００２０】
図１に示す様に、固定表示部(３)は、図１の紙面において機器本体(１)の右側の端部上に配置されており、第１液晶表示パネル(10)の画像表示面(11)より面積の小さい画像表示面(31)を有する第２液晶表示パネル(30)と、該第２液晶表示パネル(30)を機器本体(１)に対して固定する固定部(32)とを具えている。第２液晶表示パネル(30)の画像表示面(31)には、その少なくとも一部の領域を覆って、光透過性を有する入力用タッチパネル(33)が設けられている。
【００２１】
ここで、固定表示部(３)は、第１液晶表示パネル(10)の画像表示面(11)と重なる部分が、光透過性を有している。具体的には、固定表示部(３)の固定部(32)の内、第１液晶表示パネル(10)の画像表示面(11)と重なる部分が、光透過性を有する材料から形成されている。
【００２２】
又、固定表示部(３)の第２液晶表示パネル(30)は、その背面側から入射された光を該第２液晶表示パネル(30)の画像表示面(31)側へ透過させる構成を有している。第２液晶表示パネル(30)の具体的な構成については図示していないが、第２液晶表示パネル(30)は、２枚のガラス板の間に封止された液晶と、該液晶に電圧を印加して液晶の向きを制御する透明電極と、液晶に光を入射する光源とを具えている。光源は、液晶の封止領域と重ならない位置に配置されており、光源からの光は、導光シート等により液晶の背面側に導かれて液晶に入射される。
【００２３】
従って、第２液晶表示パネル(30)の光源からの光とは別の光、具体的には第１液晶表示パネル(10)からの光が固定表示部(３)に対してその背面側から入射した場合、その光は、第２液晶表示パネル(30)において液晶の向きを制御して該光を遮断しない限り、固定表示部(３)を透過することになる。
【００２４】
図２は、上記携帯電話機の一部分解斜視図である。又、図３は、図１に示されるＡ−Ａ線に沿う断面図である。図２及び図３に示す様に、可動表示部(２)は、第１液晶表示パネル(10)の画像表示面(11)より面積の小さい画像表示面(21)を有する第２液晶表示パネル(20)と、機器本体(１)に対して摺動自在に連結された摺動部(22)と、該摺動部(22)に固定されて第２液晶表示パネル(20)を支持する支持台(23)と、該摺動部(22)に固定されて機器本体(１)の背面に重なる背部(24)とを有している。
【００２５】
第２液晶表示パネル(20)の画像表示面(21)には、その少なくとも一部の領域を覆う入力用タッチパネル(25)と、入力用タッチパネル(25)上から画像表示面(21)の全領域を覆うカバー部材(26)とが設けられている。ここで、入力用タッチパネル(25)は、光透過性を有している。
【００２６】
支持台(23)は、第２液晶表示パネル(20)が機器本体(１)の表面上の位置にて第１液晶表示パネル(10)の画像表示面(11)に重なる様に、該第２液晶表示パネル(20)を支持している。又、背部(24)は、２つの背部構成部材(241)(242)を接合して構成されている。
【００２７】
ここで、可動表示部(２)は、第１液晶表示パネル(10)の画像表示面(11)と重なる部分が、光透過性を有している。具体的には、可動表示部(２)の支持台(23)とカバー部材(26)とが、光透過性を有する材質から形成されている。又、可動表示部(２)の第２液晶表示パネル(20)は、その背面側から入射された光を該第２液晶表示パネル(20)の画像表示面(21)側へ透過させる構成を有している。具体的には、可動表示部(２)の第２液晶表示パネル(20)は、固定表示部(３)の第２液晶表示パネル(30)と同じ構成を有している。これらに対し、可動表示部(２)の背部(24)は、光透過性が殆どない材質から形成されている。
【００２８】
従って、第２液晶表示パネル(20)の光源からの光とは別の光、具体的には第１液晶表示パネル(10)からの光が可動表示部(２)に対してその背面側から入射した場合、その光は、第２液晶表示パネル(20)において液晶の向きを制御して該光を遮断しない限り、可動表示部(２)を透過することになる。
【００２９】
可動表示部(２)は、図１に示す様に固定表示部(３)に当接した当接位置と、図２５に示す様に固定表示部(３)から離間して機器本体(１)の左側の端部上に配置された離間位置との間で往復移動することが可能である。
【００３０】
具体的には、図２及び図３に示す様に、可動表示部(２)の摺動部(22)には上下一対の係合部(221)(222)が突設される一方、機器本体(１)には上下一対のガイドレール(131)(132)が設けられており、該一対のガイドレール(131)(132)にはそれぞれ、摺動部(22)の一対の係合部(221)(222)が摺動自在に係合する係合受け部(131a)(132a)が開設されている。そして、一対の係合部(221)(222)と一対の係合受け部(131a)(132a)とによって、連結機構(４)が構成されている。
【００３１】
ここで、一対のガイドレール(131)(132)はそれぞれ、機器本体(１)の長手方向(91)に真っ直ぐ延在し、一対のガイドレール(131)(132)にはそれぞれ、その延在方向(92)に沿って係合受け部(131a)(132a)が形成されている。従って、摺動部(22)は、その摺動方向が機器本体(１)の長手方向(91)に規定されている。
【００３２】
よって、可動表示部(２)は、当接位置と離間位置の間を機器本体(１)の長手方向(91)に沿って往復移動することが可能となっている。斯くして、可動表示部(２)の第２液晶表示パネル(20)は、機器本体(１)に対して摺動自在に連結されて、第１液晶表示パネル(10)の画像表示面(11)上の所定の経路に沿って往復移動することが可能となっている。ここで、該所定の経路は、摺動部(22)の摺動方向と同じ方向、即ち機器本体(１)の長手方向(91)に規定されることになる。
【００３３】
又、図１に示す様に可動表示部(２)が当接位置に設定されることにより、２つの第２液晶表示パネル(20)(30)は、これらが第１液晶表示パネル(10)の画像表示面(11)上で互いに近接又は接触して閉じた閉じ状態に設定されることになる。一方、図２５に示す様に可動表示部(２)が離間位置に設定されることにより、２つの第２液晶表示パネル(20)(30)は、これらが第１液晶表示パネル(10)の画像表示面(11)上で互いに離間して開いた開き状態に設定されることになる。
【００３４】
上記連結機構(４)において、上側のガイドレール(131)に設けられた係合受け部(131a)は、該ガイドレール(131)の上面まで貫通しており、該上面から摺動部(22)の上側の係合部(221)が露出している。
【００３５】
図３に示す様に、機器本体(１)内には、第１液晶表示パネル(10)及び第２液晶表示パネル(20)(30)の画像表示動作等、上記携帯電話機の機器動作を制御する回路基板(６)が内蔵されている。回路基板(６)上にはコネクタ(61)が搭載されており、該コネクタ(61)には、可動表示部(２)の第２液晶表示パネル(20)から引き出されたフレキシブルリード(５)が電気的に接続されている。尚、図３では、フレキシブルリード(５)の配線状態が簡略化して示されている。フレキシブルリード(５)の具体的な配線状態については後で詳述する。
図示していないが、回路基板(６)には更に、第１液晶表示パネル(10)と固定表示部(３)の第２液晶表示パネル(30)が、フレキシブルリード等の配線手段により電気的に接続されている。
【００３６】
図４は、回路基板(６)と可動表示部(２)の第２液晶表示パネル(20)とを接続しているフレキシブルリード(５)の配線状態を示した斜視図である。図４に示す様に、フレキシブルリード(５)は、平坦長尺状のリードであって、回路基板(６)上のコネクタ(61)に接続されると共に該コネクタ(61)から回路基板(６)の外側へ引き出されている。そして、フレキシブルリード(５)は、その平坦面を背面側キャビネット半体(103)の内面(103a)に沿わせてガイドレール(131)(132)の延在方向(92)へ延びた後、Ｕ字状に湾曲して延在方向(92)とは逆側へ延びている。それから、フレキシブルリード(５)は、Ｌ字状に湾曲して、延在方向(92)に対して略垂直な方向へ内面(103a)と略平行に延びた後、上側のガイドレール(131)の係合受け部(131a)の内側を通過している。それから更に、フレキシブルリード(５)は、摺動部(22)の上側の係合部(221)の先端面から摺動部(22)の内部に導かれ、そしてフレキシブルリード(５)の端部(501)が、摺動部(22)の外側の側面から引き出されて第２液晶表示パネル(20)に連結されている。この様に、フレキシブルリード(５)は、Ｕ字状に湾曲したＵ字湾曲部(51)と、Ｌ字状に湾曲したＬ字湾曲部(52)とを有している。
【００３７】
従って、可動表示部(２)を移動させることにより第２液晶表示パネル(20)が機器本体(１)の長手方向(91)（ガイドレール(131)(132)の延在方向(92)と同方向）に沿って移動したとき、それに伴ってフレキシブルリード(５)のＵ字湾曲部(51)が、第２液晶表示パネル(20)の移動方向と同じ方向へ移動することになる。よって、フレキシブルリード(５)は、第２液晶表示パネル(20)の移動を阻害することがない。
【００３８】
ここで、可動表示部(２)の組み立て方法について、図４〜図１３を用いて具体的に説明する。先ず、図５に示す様に、第１工程において、背面側キャビネット半体(103)に設けられた下側のガイドレール(132)の係合受け部(132a)に、摺動部(22)の下側の係合部(222)を係合させる。その後、図６に示す様に、第２工程において、下側のガイドレール(132)に上側のガイドレール(131)を接合すると共に、該上側のガイドレール(131)の係合受け部(131a)に、摺動部(22)の上側の係合部(221)を係合させる。これにより、摺動部(22)は、機器本体(１)に対して摺動自在に連結され、その摺動方向が一対のガイドレール(131)(132)によって機器本体(１)の長手方向(91)（ガイドレール(131)(132)の延在方向(92)と同方向）に規定されることになる。斯くして、連結機構(４)が形成されることになる。
【００３９】
次に、図７に示す様に、第３工程において、可動表示部(２)の背部(24)を構成する２つの背部構成部材(241)(242)の内、内側に配置される背部構成部材(241)を摺動部(22)に固定する。具体的には、内側の背部構成部材(241)には、摺動部(22)が嵌合すべき凹部(241a)が形成されており、該凹部(241a)に摺動部(22)を嵌合させることにより、内側の背部構成部材(241)が摺動部(22)に固定される。
【００４０】
その後、図８及び図９に示す様に、第４工程において、第２液晶表示パネル(20)から引き出されたフレキシブルリード(５)を、摺動部(22)を利用して背面側キャビネット半体(103)の内側へ導く。具体的には、摺動部(22)には、その外側の側面から上側の係合部(221)の先端面まで通じる貫通孔(223)が形成されており（図７も参照）、フレキシブルリード(５)は、摺動部(22)の外側の側面側から貫通孔(223)に差し込まれて、上側の係合部(221)の先端面から引き出される。
【００４１】
次に、図４に示す様に、第５工程において、フレキシブルリード(５)に、上述したＵ字湾曲部(51)とＬ字湾曲部(52)とを形成すると共に、フレキシブルリード(５)の端部(502)を回路基板(６)上のコネクタ(61)に接続する。
【００４２】
その後、図１０に示す様に、第６工程において、背面側キャビネット半体(103)に表面側キャビネット半体(102)を接合して機器本体(１)のキャビネット(101)を形成する。次に、図１１に示す様に、第７工程において、支持台(23)を摺動部(22)に固定し、その後、該支持台(23)上に第２液晶表示パネル(20)を設置する。
【００４３】
次に、図１２に示す様に、第８工程において、支持台(23)にカバー部材(26)を取り付けて、第２液晶表示パネル(20)の画像表示面(21)の全領域をカバー部材(26)によって覆う。その後、図１３に示す様に、第９工程において、可動表示部(２)の背部(24)を構成する２つの背部構成部材(241)(242)の内、外側に配置される背部構成部材(242)を、内側の背部構成部材(241)に取り付けて、可動表示部(２)の背部(24)を形成する。これにより、可動表示部(２)の組み立てが完了する。
【００４４】
上記携帯電話機においては、ユーザに、可動表示部(２)及び固定表示部(３)を通して第１液晶表示パネル(10)の画像表示面(11)に表示される画像を認識させることが可能である。このため、機器本体(１)の表面の内、可動表示部(２)及び固定表示部(３)が重なる領域にも第１液晶表示パネル(10)を設置することが出来、従って、図１に示す様に機器本体(１)の表面の広い範囲を、第１液晶表示パネル(10)の設置領域として使用することが出来る。よって、上記携帯電話機には、広い画像表示面(11)を有する第１液晶表示パネル(10)を配備することが可能である。
【００４５】
更に、上記携帯電話機においては、ユーザに、第２液晶表示パネル(20)(30)の画像表示面(21)(31)に表示される画像を認識させると共に、第２液晶表示パネル(20)(30)を通して第１液晶表示パネル(10)の画像表示面(11)に表示される画像をも認識させることが可能である。従って、第１液晶表示パネル(10)及び第２液晶表示パネル(20)(30)に表示される２つの画像を重ね合わせて、視覚的に特徴を有する１つの画像（例えば立体感のある画像）を形成し、該画像をユーザに認識させることが出来る。
【００４６】
又、上記携帯電話機においては、可動表示部(２)の第２液晶表示パネル(20)が、第１液晶表示パネル(10)の画像表示面(11)上の所定の経路に沿って摺動自在である。従って、該所定の経路上の様々な位置にて、視覚的に特徴を有する画像を形成することが可能である。
【００４７】
上記携帯電話機には、３つの入力用タッチパネル(12)(25)(33)が設けられており、ユーザは、入力用タッチパネル(12)(25)(33)を操作することにより、操作信号を携帯電話機に入力することが出来る。
【００４８】
更に又、上記携帯電話機においては、図１に示す様に可動表示部(２)が当接位置に設定されている場合、即ち２つの第２液晶表示パネル(20)(30)が閉じ状態に設定されている場合、ユーザは、携帯電話機を片手で把持して、２つの第２液晶表示パネル(20)(30)上の入力用タッチパネル(25)(33)を片手で操作することが可能となる。このとき、携帯電話機が有する標準の姿勢は、図１５に示す様に機器本体(１)の長手方向(91)が縦に向けられた縦向き姿勢となる。
【００４９】
一方、図２５に示す様に可動表示部(２)が離間位置に設定されている場合、即ち２つの第２液晶表示パネル(20)(30)が開き状態に設定されている場合、ユーザは、携帯電話機を両手で把持して、２つの第２液晶表示パネル(20)(30)上の入力用タッチパネル(25)(33)をそれぞれ左手と右手で操作することが可能となる。このとき、携帯電話機が有する標準の姿勢は、図２５に示す様に機器本体(１)の長手方向(91)が横に向けられた横向き姿勢となる。
【００５０】
上記携帯電話機によれば、２つの第２液晶表示パネル(20)(30)が閉じ状態と開き状態の何れの状態に設定されている場合であっても、２つの第２液晶表示パネル(20)(30)は第１液晶表示パネル(10)の画像表示面(11)に重なったままである。従って、２つの第２液晶表示パネル(20)(30)の状態を変化させた場合でも、携帯電話機のサイズには殆ど変化が生じない。よって、上記携帯電話機は、２つの第２液晶表示パネル(20)(30)の状態に拘らず携帯し易い。
【００５１】
図１４は、上記携帯電話機の画像表示動作に関する構成を示すブロック図である。図１４に示す様に、上記携帯電話機の機器本体(１)には更に、機器本体(１)の姿勢を検知する加速度センサ(62)と、可動表示部(２)の移動量（即ち、第２液晶表示パネル(20)の移動量）に応じて変化する移動量情報を取得する情報取得手段(63)と、第１液晶表示パネル(10)及び２つの第２液晶表示パネル(20)(30)の画像表示動作を制御する制御手段(64)とが設けられている。ここで、第２液晶表示パネル(20)の移動量は、該第２液晶表示パネル(20)が往復移動することが可能な所定の経路上の所定の位置からの距離である。又、加速度センサ(62)、情報取得手段(63)、及び制御手段(64)は、回路基板(６)上に形成されている。
尚、加速度センサ(62)、情報取得手段(63)、及び制御手段(64)は、回路基板(６)上とは異なる箇所に形成されていてもよい。又、加速度センサ(62)に替えて、機器本体(１)の姿勢を検知する種々の姿勢検知手段を採用してもよい。
【００５２】
制御手段(64)は、加速度センサ(62)により検知される機器本体(１)の姿勢と、情報取得手段(63)により取得される移動量情報とに基づいて、第１液晶表示パネル(10)及び２つの第２液晶表示パネル(20)(30)の画像表示動作を制御する。
【００５３】
加速度センサ(62)により機器本体(１)の姿勢が検知された場合、制御手段(64)は、該機器本体(１)の姿勢に応じて、第１液晶表示パネル(10)及び２つの第２液晶表示パネル(20)(30)に表示される画像の向きを変更する。このとき、制御手段(64)は、画像の向きを変更する変更手段として機能する。
【００５４】
具体的には、制御手段(64)は、ユーザが携帯電話機を把持したときに該携帯電話機が有する標準の姿勢に応じた向きで、第１液晶表示パネル(10)及び２つの第２液晶表示パネル(20)(30)に画像を表示させる。より具体的には、ユーザが携帯電話機を片手で把持することにより携帯電話機が有する標準の姿勢が縦向き姿勢となったとき、制御手段(64)は、図１５に示す様に、第１液晶表示パネル(10)及び２つの第２液晶表示パネル(20)(30)に表示する画像の向きを、機器本体(１)の長手方向(91)に略一致させる。一方、ユーザが携帯電話機を両手で把持することにより携帯電話機が有する標準の姿勢が横向き姿勢となったとき、制御手段(64)は、図２５に示す様に、第１液晶表示パネル(10)及び２つの第２液晶表示パネル(20)(30)に表示される画像の向きを、機器本体(１)の長手方向(91)に垂直な方向に略一致させる。これにより、ユーザによる携帯電話機の使用形態に拘わらず、第１液晶表示パネル(10)及び２つの第２液晶表示パネル(20)(30)には、ユーザに対して画像が縦向きで表示されることになる。
【００５５】
従って、上記携帯電話機によれば、ユーザは、片手で入力用タッチパネル(12)(25)(33)を操作する場合と、両手で入力用タッチパネル(12)(25)(33)を操作する場合の何れの場合においても、画像を視認しながらの操作が容易である。よって、上記携帯電話機は、高い操作性を有することになる。
【００５６】
更に、情報取得手段(63)が移動量情報を取得した場合、制御手段(64)は、該移動量情報に対応する移動量に応じて、第１液晶表示パネル(10)と２つの第２液晶表示パネル(20)(30)とに様々な画像を表示させる。これにより、上記携帯電話機は、より高い操作性を有することになる。尚、移動量に応じた画像の表示形態の具体例については後述する。
【００５７】
又、上記情報取得手段(63)と制御手段(64)によれば、可動表示部(２)（即ち、第２液晶表示パネル(20)）を、第１液晶表示パネル(10)及び２つの第２液晶表示パネル(20)(30)に表示されている画像を操作する操作部として機能させることが出来る。
【００５８】
次に、上記携帯電話機にて実施可能な画像の表示形態の具体例について、図面を用いて説明する。ここで、上記携帯電話機は、第１液晶表示パネル(10)及び２つの第２液晶表示パネル(20)(30)にそれぞれ異なる画像を表示することが可能であり、又、第１液晶表示パネル(10)及び２つの第２液晶表示パネル(20)(30)にそれぞれ異なる機能を発揮させるマルチタスク機能を実現することが可能である。
【００５９】
図１５は、電話番号入力用の画像の表示形態を示す図である。図１５に示す様に、この表示形態においては、可動表示部(２)の第２液晶表示パネル(20)に、発信用の操作キーや選択用の操作キー等が表示され、固定表示部(３)の第２液晶表示パネル(30)に、数字入力用の操作キーが表示される。又、第１液晶表示パネル(10)には、ユーザが入力用タッチパネル(33)を操作することにより入力した電話番号が表示される。
【００６０】
図１６は、通話時の画像の表示形態を示す図である。図１６に示す様に、この表示形態においては、可動表示部(２)の第２液晶表示パネル(20)に、通話時の相手の電話番号や氏名等の情報と通話時間が表示され、固定表示部(３)の第２液晶表示パネル(30)に、通話時の音量調整用の操作キー等が表示される。尚、第２液晶表示パネル(20)(30)には、背景としてアニメーションが表示されてもよい。又、第１液晶表示パネル(10)には、通話時の相手の顔の画像が表示されてもよい。但し、図１６に示す様に第１液晶表示パネル(10)には画像を表示せずに、第１液晶表示パネル(10)への電力供給を停止することにより、消費電力を小さくすることが出来る。
【００６１】
図１７は、着信時の画像の表示形態の一例を示す図である。相手（発信元）の電話番号や氏名等の情報と、相手の顔の画像が携帯電話機に登録されている場合、図１７に示す様に、可動表示部(２)の第２液晶表示パネル(20)に、相手の情報と通話開始用の操作キー等が表示され、固定表示部(３)の第２液晶表示パネル(30)に、登録されている相手の顔の画像が表示される。ユーザの操作性を考慮して、可動表示部(２)の第２液晶表示パネル(20)に、登録されている相手の顔の画像を表示し、固定表示部(３)の第２液晶表示パネル(30)に、相手の情報と通話開始用の操作キー等を表示してもよい。これにより、ユーザが携帯電話機を片手で把持したとき、該片手の親指に近い位置に操作画面が表示され、該片手の親指から離れた位置に相手の顔の画像が表示されることになる。
【００６２】
図１８（ａ）は、着信時の画像の表示形態の他の例を示す図であり、図１８（ｂ）は、着信時に実行可能な操作の説明に用いられる図である。図１８（ａ）に示す様に、他の例に係る表示形態においては、携帯電話機に相手の情報等が登録されている場合であっても、第１液晶表示パネル(10)及び２つの第２液晶表示パネル(20)(30)には、相手の情報等は表示されず、着信を通知する画像と操作キーのみが表示される。これにより、着信時に、相手の情報等がユーザ以外の者に認識されてしまうことを防止することが出来る。
【００６３】
そして、図１８（ｂ）に示す様に、ユーザが可動表示部(２)を当接位置から機器本体(１)の長手方向(91)にスライドさせることにより、第１液晶表示パネル(10)の内、固定表示部(３)の設置領域と可動表示部(２)が重なった領域との間に、相手の情報が表示される。即ち、ユーザがスライド操作を実行したときにのみ、上記領域に相手の情報が表示される。従って、相手の情報の秘匿性を維持しつつ、ユーザは、相手の情報を確認することが出来る。
【００６４】
図１９は、省電力モード時の画像の表示形態を示す図である。携帯電話機が待機状態に設定されている場合、図１９に示す様に、第１液晶表示パネル(10)への電力供給が停止される一方、２つの第２液晶表示パネル(20)(30)への電力供給が維持される。そして、第２液晶表示パネル(20)(30)には、例えば時刻が表示される。尚、第２液晶表示パネル(20)(30)には、ピクト、ショートカットアイコン、メニュー、ウィジェット等が表示されてもよい。
【００６５】
図２０は、電子メール受信時の画像の表示形態を示す図である。図２０に示す様に、この表示形態においては、固定表示部(３)の第２液晶表示パネル(30)に、電子メールの受信を通知する画像が表示される。携帯電話機が待機状態（図１９参照）のときに電子メールを受信した場合、第２液晶表示パネル(30)には、電子メールの受信を通知する画像がポップアップ表示されることになる。このとき、第１液晶表示パネル(10)への電力供給は停止したままである。
【００６６】
図２１は、受信した電子メールの内容の表示形態の一例を示す図である。図２０に示す表示形態においてユーザが第２液晶表示パネル(30)上の入力用タッチパネル(33)に触れること（例えば、表示されたメールアイコン（マーク）に触れること）により、図２１に示す様に、２つの第２液晶表示パネル(20)(30)に、受信した電子メールの内容が表示される。このとき、第１液晶表示パネル(10)への電力供給は停止したままである。
【００６７】
図２２は、受信した電子メールの内容の表示形態の他の例を示す図である。携帯電話機が有する標準の姿勢が横向きの姿勢である場合、図２２に示す様に、２つの第２液晶表示パネル(20)(30)には、受信した電子メールの内容を示す画像が、その向きを機器本体(１)の長手方向(91)に垂直な方向に略一致させて表示される。ここで、図２１に示す表示形態と図２２に示す表示形態とは、ユーザが携帯電話機の標準の姿勢を縦向きの姿勢と横向きの姿勢との間で変化させることにより切り替えられ、この表示形態の切替えは、加速度センサ(62)が携帯電話機の姿勢を検知することにより実現される。
【００６８】
図２３（ａ）は、受信した電子メールの内容を簡易表示した形態を示す図であり、図２３（ｂ）は、簡易表示時に実行可能な操作の説明に用いられる図である。ここで、簡易表示とは、電子メールの内容の一部を液晶表示パネルに表示することである。図２０に示す表示形態においてユーザが第２液晶表示パネル(30)上の入力用タッチパネル(33)に触れることにより、図２３（ａ）に示す様に、２つの第２液晶表示パネル(20)(30)に、受信した電子メールの内容が簡易表示される。
【００６９】
そして、図２３（ｂ）に示す様に、ユーザが可動表示部(２)を当接位置から機器本体(１)の長手方向(91)にスライドさせることにより、可動表示部(２)の移動量（即ち、第２液晶表示パネル(20)の移動量）に応じて、第１液晶表示パネル(10)の内、固定表示部(３)の設置領域と可動表示部(２)が重なった領域との間にも電子メールの内容が表示される。従って、電子メールの内容を簡易表示するための表示領域が拡大することになる。
【００７０】
図２４は、電子メール返信時の画像を表示させるための操作の説明に用いられる図である。図２４に示す様に、この操作においては、ユーザが、可動表示部(２)を当接位置から離間位置まで機器本体(１)の長手方向(91)にスライドさせる。これにより、２つの第２液晶表示パネル(20)(30)には、図２５に示す様に文字入力用の操作キーが表示され、第１液晶表示パネル(10)には、ユーザが第２液晶表示パネル(20)(30)上の入力用タッチパネル(25)(33)を操作することにより入力した文字が表示される。尚、電子メール返信時の画面は、図２３（ｂ）に示す表示形態において、ユーザが可動表示部(２)を当接位置から離間位置まで機器本体(１)の長手方向(91)にスライドさせたときに表示されてもよい。
【００７１】
図２６は、ショートメッセージサービス（ＳＭＳ）にてメッセージを受信したときの画像の表示形態を示す図である。図２６に示す様に、この表示形態においては、第１液晶表示パネル(10)にメッセージの内容を示す画像が表示され、その後、数秒間だけ可動表示部(２)の第２液晶表示パネル(20)に相手の顔の画像が表示される。この画像は、静止画や動画、更にはアニメーションであってもよい。メッセージは、相手の顔の画像を表示している間、吹き出し形式で第１液晶表示パネル(10)に表示されてもよい。これにより、ユーザに、視覚的に特徴を有する画像を認識させて、相手と実際に会話をしている様な感覚を与えることが出来る。
【００７２】
図２７は、カメラ撮影時の画像の表示形態を示す図である。図２７に示す様に、この表示形態においては、第１液晶表示パネル(10)には、カメラにより取得される画像が表示される。一方、２つの第２液晶表示パネル(20)(30)には画像が表示されず、該２つの第２液晶表示パネル(20)(30)は、背面側から入射した光を画像表示面(21)(31)に透過する透明な状態（以下、単に「透明な状態」という）に設定される。従って、第１液晶表示パネル(10)の全体に、カメラにより取得される画像を表示した場合でも、ユーザは、その画像全体を視認することが可能である。
【００７３】
図２８は、カメラ撮影時のズーム量を調整するための操作の説明に用いられる図である。図２８に示す様に、この操作においては、ユーザが可動表示部(２)を当接位置から機器本体(１)の長手方向(91)にスライドさせることにより、可動表示部(２)の移動量（即ち、第２液晶表示パネル(20)の移動量）に応じてカメラのズーム量が調整され、その結果、第１液晶表示パネル(10)には被写体の拡大画像が表示される。
【００７４】
図２９は、動画と静止画とを同時に撮影するときの画像の表示形態を示す図である。図２９に示す様に、この表示形態においては、可動表示部(２)が当接位置に設定されており、２つの第２液晶表示パネル(20)(30)に１つの静止画が表示される。一方、第１液晶表示パネル(10)の内、２つの第２液晶表示パネル(20)(30)が重なっていない領域に動画が表示される。具体的には、動画のみを撮影するときには、第１液晶表示パネル(10)の全領域に動画が表示され、２つの第２液晶表示パネル(20)(30)は透明な状態に設定される。そして、動作撮影中に静止画を取得する場合、第２液晶表示パネル(20)(30)上の入力用タッチパネル(25)(33)に触れることにより、動画を構成する１つの画像が静止画として抽出されて、該静止画が２つの第２液晶表示パネル(20)(30)に表示される。
【００７５】
図３０は、データ閲覧時の画像の表示形態を示す図である。図３０に示す様に、この表示形態においては、第１液晶表示パネル(10)に、所定のデータフォルダ内に格納されている複数の画像が一列に並んで表示され、該複数の画像の内、何れか１つの画像が第１液晶表示パネル(10)の中央領域に大きく表示される。一方、２つの第２液晶表示パネル(20)(30)には画像が表示されず、該２つの第２液晶表示パネル(20)(30)は透明な状態に設定される。
【００７６】
図３１は、データ閲覧時に実行可能な操作の説明に用いられる図である。図３１に示す様に、この操作においては、ユーザが、第２液晶表示パネル(20)(30)上の入力用タッチパネル(25)(33)を左右にフリックすることにより、第１液晶表示パネル(10)の中央領域に表示される画像が変更される。具体的には、第１液晶表示パネル(10)には、複数の画像が一列に並んで表示されており、ユーザがフリックする方向へ画像の列が流れて、第１液晶表示パネル(10)の中央領域に表示される画像が変更されることになる。
【００７７】
図３２は、データ閲覧時に実行可能な他の操作の説明に用いられる図である。図３２に示す様に、この操作においては、ユーザが、第２液晶表示パネル(20)(30)上の入力用タッチパネル(25)(33)を上方にフリックすることにより、第１液晶表示パネル(10)の中央領域に表示されている画像以外の画像が上方に移動する。そして、図３３に示す様に、可動表示部(２)の第２液晶表示パネル(20)に、上記所定のデータフォルダを含む複数のフォルダが一覧表示され、固定表示部(３)の第２液晶表示パネル(30)に、第１液晶表示パネル(10)の中央領域に表示されている画像の詳細情報が表示される。これにより、第１液晶表示パネル(10)と２つの第２液晶表示パネル(20)(30)にはそれぞれ、データが階層別に表示されることになる。
【００７８】
図３４は、別のデータフォルダを選択したときの画像の表示形態を示す図である。図３３に示される表示形態において、ユーザが第２液晶表示パネル(20)上の入力用タッチパネル(25)を操作して、上記所定のデータフォルダとは別のデータフォルダを選択することにより、図３４に示す様に、第１液晶表示パネル(10)に表示されていた画像の列が、右方へ流れて画面上から消え去る。そして、第１液晶表示パネル(10)には、ユーザが選択した別のデータフォルダに格納されている複数の画像が一列に並んで表示される。
【００７９】
図３５（ａ）及び図３５（ｂ）は、ウェブ閲覧時の画像（ウェブ画像）の表示形態の一例を示す図である。図３５（ａ）に示す様に、この表示形態においては、第１液晶表示パネル(10)にウェブ画像が表示される。一方、２つの第２液晶表示パネル(20)(30)には画像が表示されず、該２つの第２液晶表示パネル(20)(30)は透明な状態に設定される。従って、第１液晶表示パネル(10)の全体にウェブ画像を表示した場合でも、ユーザは、そのウェブ画像全体を視認することが可能である。勿論、図３５（ｂ）に示す様に、２つの第２液晶表示パネル(20)(30)にウェブ画像とは別の画像が表示されてもよい。
【００８０】
図３６は、ウェブ画像の表示形態の他の例を示す図である。図３６に示す様に、この表示形態においては、第１液晶表示パネル(10)にウェブ画像が表示され、該ウェブ画像には、３つの選択キー「information」、「map」、及び「contact」が表示されている。一方、２つの第２液晶表示パネル(20)(30)には画像が表示されず、該２つの第２液晶表示パネル(20)(30)は透明な状態に設定される。従って、ユーザは、第１液晶表示パネル(10)に表示されているウェブ画像全体を視認することが可能である。
【００８１】
図３７は、ウェブ画像上の選択キーを選択したときの画像の表示形態を示す図である。図３７に示す様に、この表示形態においては、第１液晶表示パネル(10)にウェブ画像が表示されたまま、２つの第２液晶表示パネル(20)(30)に、選択キーにリンクしている別のウェブ画像が表示される。これにより、異なる２つのウェブ画像を２画面で同時に閲覧することが可能となる。
【００８２】
図３８（ａ）及び図３８（ｂ）は、ウェブ閲覧時に実行可能な操作の説明に用いられる図である。図３８（ａ）に示す様に、この操作においては、ユーザが、入力用タッチパネル(12)(25)(33)を操作して、２つの第２液晶表示パネル(20)(30)に表示されているウェブ画像を第１液晶表示パネル(10)側へ移動させることにより、図３８（ｂ）に示す様に、２つの第２液晶表示パネル(20)(30)に表示されていたウェブ画像が、第１液晶表示パネル(10)の全体に表示される。一方、２つの第２液晶表示パネル(20)(30)からは、表示されていたウェブ画像が消去され、該２つの第２液晶表示パネル(20)(30)は透明な状態に設定される。
【００８３】
図３９は、マップ閲覧時の画像（マップ画像）の表示形態の一例を示す図である。図３９に示す様に、この表示形態においては、第１液晶表示パネル(10)にマップ画像が表示される。一方、２つの第２液晶表示パネル(20)(30)には画像が表示されず、該２つの第２液晶表示パネル(20)(30)は透明な状態に設定される。従って、第１液晶表示パネル(10)の全体にマップ画像を表示した場合でも、ユーザは、そのマップ画像全体を視認することが可能である。
【００８４】
図４０は、マップ閲覧時に実行可能な操作の説明に用いられる図である。図４０に示す様に、この操作においては、ユーザが、第２液晶表示パネル(20)(30)上の入力用タッチパネル(25)(33)を操作して手書きのメモ（文字や記号等）を入力することにより、第２液晶表示パネル(20)(30)に手書きのメモが表示される。このとき、携帯電話機においては、第１液晶表示パネル(10)の画像表示動作、或いは第１液晶表示パネル(10)上の入力用タッチパネル(12)の動作が制御されて、第１液晶表示パネル(10)に表示されているマップ画像の操作が無効化されている。従って、ユーザが、第２液晶表示パネル(20)(30)上の入力用タッチパネル(25)(33)を操作したとき、その操作がマップ画像に影響することがない。
【００８５】
これにより、第１液晶表示パネル(10)に表示されているマップ画像と、第２液晶表示パネル(20)(30)に書き込まれた手書きのメモとが重なって、１つの画像としてユーザに認識されることになる。尚、第２液晶表示パネル(20)(30)には、手書きのメモの他に、写真画像やピン等を表示してもよい。
【００８６】
図４１は、マップ閲覧時の画像（マップ画像）の表示形態の他の例を示す図である。図４１に示す様に、この表示形態においては、第１液晶表示パネル(10)にマップ画像が表示される一方、２つの第２液晶表示パネル(20)(30)には、第１液晶表示パネル(10)に表示されているマップ画像の一部が拡大して表示される。
【００８７】
図４２は、ホーム画面の画像の表示形態の一例を示す図である。図４２に示す様に、この表示形態においては、第１液晶表示パネル(10)に、メニュー画面に移行するためのアイコンＣと、ショートカットアイコンＳが表示され、２つの第２液晶表示パネル(20)(30)にウィジェットＷが表示される。
【００８８】
図４３（ａ）及び図４３（ｂ）は、ホーム画面で実行可能な操作の説明に用いられる図である。図４３（ａ）に示す様に、この操作においては、ユーザが可動表示部(２)を当接位置から機器本体(１)の長手方向(91)にスライドさせることにより、可動表示部(２)の移動量（即ち、第２液晶表示パネル(20)の移動量）に応じて、ウィジェットＷの列が左方に移動（スライドイン）して、第１液晶表示パネル(10)の内、固定表示部(３)の設置領域と可動表示部(２)が重なった領域との間にもウィジェットＷが表示される。従って、図４３（ａ）及び図４３（ｂ）に示す様に、ウィジェットＷを表示するための表示領域が拡大することになる。
【００８９】
図４４は、ホーム画面の画像の表示形態の他の例を示す図である。図４２に示される表示形態において、ユーザが第１液晶表示パネル(10)上の入力用タッチパネル(12)を操作して、メニュー画面に移行するためのアイコンＣを選択することにより、図４４に示す様に、２つの第２液晶表示パネル(20)(30)はメニュー画面に移行する。ここで、メニュー画面は、各種機能に対応する複数のメニューアイコンＤが一覧表示された画面である。
【００９０】
図４５（ａ）及び図４５（ｂ）は、図４４に示されるホーム画面で実行可能な操作の説明に用いられる図である。図４５（ａ）に示す様に、この操作においては、ユーザが可動表示部(２)を当接位置から機器本体(１)の長手方向(91)にスライドさせることにより、可動表示部(２)の移動量（即ち、第２液晶表示パネル(20)の移動量）に応じて、複数のメニューアイコンＤの列が左方に移動（スライドイン）して、第１液晶表示パネル(10)の内、固定表示部(３)の設置領域と可動表示部(２)が重なった領域との間にもメニューアイコンＤが表示される。従って、図４５（ａ）及び図４５（ｂ）に示す様に、メニューアイコンＤを表示するための表示領域が拡大することになる。
【００９１】
図４６は、図４４に示されるホーム画面で実行可能な他の操作の説明に用いられる図である。図４６に示す様に、この操作においては、ユーザが、入力用タッチパネル(12)(25)(33)を操作してメニューアイコンＤを第２液晶表示パネル(20)(30)から第１液晶表示パネル(10)に移動させることにより、該メニューアイコンＤのショートカットアイコンＳが第１液晶表示パネル(10)に作成される。
【００９２】
図４７は、図４５（ｂ）に示されるホーム画面で実行可能な操作の説明に用いられる図である。図４７に示す様に、この操作においては、ユーザが、第１液晶表示パネル(10)上の入力用タッチパネル(12)を操作して、第１液晶表示パネル(10)の内、第２液晶表示パネル(20)(30)と重なることがない領域ＲにメニューアイコンＤを移動させることにより、該領域ＲにショートカットアイコンＳが作成される。
【００９３】
図４８は、図４７に示されるホーム画面で実行可能な操作の説明に用いられる図である。図４８に示す様に、この操作においては、ユーザが、可動表示部(２)を離間位置から当接位置までスライドさせることにより、領域Ｒに表示されているショートカットアイコンＳが領域Ｒ内で再配列されて、ユーザが視認し易い位置に表示される。
【００９４】
図４９は、上記携帯電話機の第１変形例を示すブロック図である。図４９に示す様に、機器本体(１)には、加速度センサ(62)に替えて、２つの第２液晶表示パネル(20)(30)の開き状態と閉じ状態とを検知する状態検知手段(65)が設けられ、制御手段(64)は、状態検知手段(65)により検知される状態に応じて、第１液晶表示パネル(10)及び２つの第２液晶表示パネル(20)(30)に表示される画像の向きを変更してもよい。
【００９５】
第１変形例に係る携帯電話機によれば、上述した携帯電話機と同様、ユーザが携帯電話機を把持したときに該携帯電話機が有する標準の姿勢に応じた向きで、第１液晶表示パネル(10)及び２つの第２液晶表示パネル(20)(30)に画像を表示させることが出来る。
【００９６】
図５０は、上記携帯電話機の第２変形例を示すブロック図である。図５０に示す様に、機器本体(１)には、情報取得手段(63)に替えて、所定の経路に沿って可動表示部(２)（即ち、第２液晶表示パネル(20)）が移動したか否かを検知する移動検知手段(66)が設けられ、制御手段(64)は、移動検知手段(66)の検知結果に基づいて、第１液晶表示パネル(10)及び２つの第２液晶表示パネル(20)(30)の画像表示動作を制御してもよい。
【００９７】
第２変形例に係る携帯電話機によれば、上述した携帯電話機と同様、可動表示部(２)（即ち、第２液晶表示パネル(20)）を、第１液晶表示パネル(10)及び２つの第２液晶表示パネル(20)(30)に表示されている画像を操作する操作部として機能させることが出来る。
【００９８】
更に、上記携帯電話機の第３変形例として、該携帯電話機は、固定表示部(３)のない構成を有していてもよい。本変形例に係る携帯電話機によれば、ユーザに対する汎用性が高まる。具体的には、可動表示部(２)を機器本体(１)の右側の端部上に移動させることにより、ユーザは、右手（又は左手）で携帯電話機を把持して、該右手（又は左手）で第２液晶表示パネル(20)上の入力用タッチパネル(25)を操作することが可能となる。又、可動表示部(２)を機器本体(１)の左側の端部上に移動させることにより、ユーザは、左手（又は右手）で携帯電話機を把持して、該左手（又は右手）で第２液晶表示パネル(20)上の入力用タッチパネル(25)を操作することが可能となる。
【００９９】
尚、本発明の各部構成は上記実施の形態に限らず、特許請求の範囲に記載の技術的範囲内で種々の変形が可能である。例えば、上記携帯電話機は、固定表示部(３)を可動にした構成を有していてもよい。又、上記携帯電話機において視覚的に特徴を有する画像を表示させる必要がない場合、固定表示部(３)は、その背面側から入射された光を第２液晶表示パネル(30)の画像表示面(31)側へ透過させる構成を有していなくてもよい。可動表示部(２)についても同様である。
【０１００】
更に、上記携帯電話機は、第１液晶表示パネル(10)と第２液晶表示パネル(20)(30)の内、何れか一方のパネルの画像表示面にのみ入力用タッチパネルが設けられた構成を有していてもよい。又、第１液晶表示パネル(10)及び／又は第２液晶表示パネル(20)(30)に替えて、有機ＥＬ（Electroluminescence）表示パネル、ＬＥＤ（Light  Emitting  Diode）表示パネル等、種々の画像表示パネルを採用してもよい。
【０１０１】
更に又、回路基板(６)と可動表示部(２)の第２液晶表示パネル(20)との電気的な接続には、フレキシルブルリード(５)による接続の他に、摺動接点を用いた接続を採用してもよい。
【０１０２】
上記携帯電話機に採用した各種構成は、携帯電話機に限らず、液晶表示パネル等の画像表示パネルを有する種々の携帯型電子機器に適用することが出来る。
【符号の説明】
【０１０３】
(１)  機器本体
(10)  第１液晶表示パネル（第１画像表示パネル）
(11)  画像表示面
(12)  入力用タッチパネル
(131) ガイドレール
(131a)係合受け部
(132) ガイドレール
(132a)係合受け部
(２)  可動表示部
(20)  第２液晶表示パネル（第２画像表示パネル）
(21)  画像表示面
(22)  摺動部
(221) 係合部
(222) 係合部
(23)  支持台（支持部）
(24)  背部
(25)  入力用タッチパネル
(26)  カバー部材
(３)  固定表示部
(30)  第２液晶表示パネル（第２画像表示パネル）
(31)  画像表示面
(32)  固定部
(33)  入力用タッチパネル
(４)  連結機構
(５)  フレキシブルリード
(６)  回路基板
(61)  コネクタ
(62)  加速度センサ（姿勢検知手段）
(63)  情報取得手段
(64)  制御手段（変更手段）
(65)  状態検知手段
(66)  移動検知手段
【図１】
0005638259.tif 000002
【図２】
0005638259.tif 000003
【図３】
0005638259.tif 000004
【図４】
0005638259.tif 000005
【図５】
0005638259.tif 000006
【図６】
0005638259.tif 000007
【図７】
0005638259.tif 000008
【図８】
0005638259.tif 000009
【図９】
0005638259.tif 000010
【図１０】
0005638259.tif 000011
【図１１】
0005638259.tif 000012
【図１２】
0005638259.tif 000013
【図１３】
0005638259.tif 000014
【図１４】
0005638259.tif 000015
【図１５】
0005638259.tif 000016
【図１６】
0005638259.tif 000017
【図１７】
0005638259.tif 000018
【図１８】
0005638259.tif 000019
【図１９】
0005638259.tif 000020
【図２０】
0005638259.tif 000021
【図２１】
0005638259.tif 000022
【図２２】
0005638259.tif 000023
【図２３】
0005638259.tif 000024
【図２４】
0005638259.tif 000025
【図２５】
0005638259.tif 000026
【図２６】
0005638259.tif 000027
【図２７】
0005638259.tif 000028
【図２８】
0005638259.tif 000029
【図２９】
0005638259.tif 000030
【図３０】
0005638259.tif 000031
【図３１】
0005638259.tif 000032
【図３２】
0005638259.tif 000033
【図３３】
0005638259.tif 000034
【図３４】
0005638259.tif 000035
【図３５】
0005638259.tif 000036
【図３６】
0005638259.tif 000037
【図３７】
0005638259.tif 000038
【図３８】
0005638259.tif 000039
【図３９】
0005638259.tif 000040
【図４０】
0005638259.tif 000041
【図４１】
0005638259.tif 000042
【図４２】
0005638259.tif 000043
【図４３】
0005638259.tif 000044
【図４４】
0005638259.tif 000045
【図４５】
0005638259.tif 000046
【図４６】
0005638259.tif 000047
【図４７】
0005638259.tif 000048
【図４８】
0005638259.tif 000049
【図４９】
0005638259.tif 000050
【図５０】
0005638259.tif 000051